(57)【特許請求の範囲】
【請求項１】
一端部に連動回転用のギヤをそれぞれ取り付けた一対の加熱ローラと、これらの一対の加熱ローラの両端を回転可能に支持し、前記一対の加熱ローラの接触線に沿って分割され、かつその分割部分の一端同志を回転可能に連結されたローラフレームと、前記連動回転用の２つのギヤの間に介在され、一方の連動回転用のギヤに伝達される回転力を他方の連動回転用のギヤに伝達可能で、回転軸心を前記ローラフレームの分割部分の一端同志の回転軸心に一致させた中間連動ギヤとからなり、この中間連動ギヤが、連動回転用の２つのギヤの間に介在された中間ギヤ部と、この中間ギヤ部を回転可能に支持する支軸部とからなり、この支軸部が、ローラフレームの分割部分の一端同志をも回転可能に支持するヒートシール装置。
【請求項２】
連動回転用の２つのギヤ及び中間連動ギヤが、いずれもはすば歯車である請求項１記載のヒートシール装置。
【請求項３】
一対の加熱ローラが、更にローラフレームの開放時に解除可能に噛合する一対の連動回転用の補助ギヤを同軸に備えた請求項１記載のヒートシール装置。
【発明の詳細な説明】
【０００１】
【産業上の利用分野】
この発明は、ヒートシール装置に関し、更に詳しくは加熱融着性ラミネート紙を一対の加熱ローラによってヒートシールするヒートシール装置に関する。
【０００２】
【従来の技術】
この種のヒートシール装置は、帯状の加熱融着性ラミネート紙を、幅方向に二つ折りした状態で、一対の加熱ローラ間に装着し、併せて薬剤、ジュースなどを供給すると、加熱ローラの加熱・加圧によってラミネート紙の重なり合う側縁部をヒートシールし、薬剤、ジュースなどを連続的に分割分包する。
【０００３】
しかしながら従来のヒートシール装置では、一対の加熱ローラが互いに接触する状態にあるので、一対の加熱ローラ間にラミネート紙を二つ折りした状態で挿通することが非常に難しく、場合によっては一対の加熱ローラ間に指先を噛み込まれる危険があった。
【０００４】
【発明が解決しようとする課題】
このような問題点を解決する手段として、実公平７−３８１０５号公報で提案されているヒートシール装置は、ラミネート紙を挿通する際は一対の加熱ローラを開放できるようにしている。
しかし一対の加熱ローラは、開放状態でも加熱面の相対的なずれが生じないように一対の加熱ローラの連動回転用ギヤの一端角部を開放に伴う傾斜状態でも噛み合うように維持している。従って加熱ローラの開放は連動回転用ギヤの一端角部の噛み合いが開放に伴う傾斜程度によって変わるのでスムースではなく、更に連動回転用ギヤの一端角部は局部的に力が加わるので歯が欠けたり、擦り減って噛み合い状態が維持できないおそれがあった。
【０００５】
そこでこの発明の主要な目的の１つは、一対の加熱ローラの開放がスムースで加熱ローラの連動ギヤの局部的な破損を防止できるヒートシール装置を提供することである。
【０００６】
【課題を解決するための手段】
この発明によれば、一端部に連動回転用のギヤをそれぞれ取り付けた一対の加熱ローラと、これらの一対の加熱ローラの両端を回転可能に支持し、前記一対の加熱ローラの接触線に沿って分割され、かつその分割部分の一端同志を回転可能に連結されたローラフレームと、前記連動回転用の２つのギヤの間に介在され、一方の連動回転用のギヤに伝達される回転力を他方の連動回転用のギヤに伝達可能で、回転軸心を前記ローラフレームの分割部分の一端同志の回転軸心に一致させた中間連動ギヤとからなるヒートシール装置を提供する。
【０００７】
すなわちこの発明によれば、一対の加熱ローラの連動回転用ギヤ（一対）を直接噛合させるのではなく、両ギヤの間に中間連動ギヤを介在させ、かつその中間連動ギヤの回転軸心をローラフレームの分割部分の回転軸心に一致させることによって、ローラフレームの開放がスムースで連動ギヤの局部的な破損を防止できるようにするものである。
【０００８】
特に中間連動ギヤは、ローラフレームが開放（通常２０〜４０度、約３０度が好ましい）されても１対の連動回転用ギヤとの係合（噛み合い）を変えることなく維持できるので、開放、閉塞操作がスムースであり、開放時に各ギヤの特定個所に応力集中が生じるおそれもないので局部的な破損を防止できる。また１対の加熱ローラの加熱面の相対的な位置ずれを防止できるので、ヒートシール不良（例えば密封不良）の発生を防ぐことができる。
【０００９】
この発明において使用できる１対の連動回転用ギヤ及び中間連動ギヤとしては、回転軸心（回転中心軸）が加熱ローラの中心軸とは直交する関係にあるので、はすば歯車、かさ歯車、ウオーム歯車を挙げることができるが、はすば歯車が好ましい。
この発明においては、１対の連動回転用ギヤと中間連動ギヤは、ローラフレーム（又は加熱ローラ）が閉塞、開放のいずれの場合でも噛み合い状態にある。一方、ローラフレームの開放状態では、加熱融着性ラミネート紙を装着するために、加熱ローラは自由回転できるのが好ましい。そこで１対の加熱ローラに１対の連動回転用の補助ギヤを同軸に設け、その補助ギヤで駆動回転力を主として伝達させるようにすることもできる。
【００１０】
【発明の実施の形態】
以下、図に示す実施の形態に基づきこの発明を詳述する。なお、これによってこの発明が限定されるものではない。
図１は、この発明の一つの実施の形態を示す側面構成説明図、図２は図１に示す実施の形態の平面構成説明図、図３はその異なる状態を示す図１相当図である。
【００１１】
図１〜２において、ヒートシール装置１は、一端部に連動回転用のギヤ２・３をそれぞれ取り付けた一対の加熱ローラ４・５と、これらの一対の加熱ローラを軸受（ロールベアリング）６・７，８・９によって回転可能に支持し、加熱ローラ４・５の接触線Ａに沿って分割されたローラフレーム１０・１１と、連動回転用のギヤ２・３の間に介在された中間連動ギヤ１２と、一方ローラフレーム１０を固定支持する本体Ｈとから主としてなる。
【００１２】
ここで中間連動ギヤ１２は、特に図２において、中間ギヤ部１３と、この中間ギヤ部を回転可能に支持する支軸部１４とからなり、この支軸部を介してローラフレーム１０にローラフレーム１１を回転可能に支持している。つまりローラフレーム１０・１１は、その分割部分の一端同志が回転可能に連結され、その回転軸心Ｘが中間連動ギヤ１２の回転軸心Ｙに一致しているわけである。
【００１３】
１５は回転動力源としての駆動モータ、１６は駆動ギヤ、１７・１８は直接噛み合う補助連動ギヤである。
なお、１９・２０はハンドル部、２１はアイドラギヤ、２２・２３は送りローラである。
次に、以上の構成を備えたヒートシール装置１の作動を説明する。
【００１４】
まず、図１のヒートシール装置１のローラフレーム１０・１１をローラフレーム１１のハンドル部２０の操作によって図３のごとく回転軸心Ｘ（Ｙ）を中心に開放する。このようにローラフレーム１０・１１の開放によって開放された（間隙を生じた）加熱ローラ４・５の間に加熱融着性ラミネート紙（図示省略）の先端部を幅方向に二つ折りして手で挿入する。次いで再びハンドル部２０の操作によってローラフレーム１０・１１を図１のごとく回転軸心Ｘ（Ｙ）を中心に閉塞し、加熱ローラ４・５によってラミネート紙を若干加圧・加熱する。なおこのようにローラフレーム１０・１１を閉塞状態にし、加熱ローラ４・５がラミネート紙を加圧加熱する状態は、ローラフレーム１０・１１間を連結するクリップ（図示省略）によって維持されている。
【００１５】
かくして加熱融着性ラミネート紙は、約１０５℃に加熱され回転する（約２５ｒｐｍと５０ｒｐｍの可変）加熱ローラ４・５の加熱面により押圧加熱を受け、連続する多数の袋となって送りローラ２２・２３によって送り出される。この際各袋には適宜薬剤が所定量（例えば粉末状の薬剤が５ｇ）封入されている（分割分包されている）。
【００１６】
以上のごとく加熱ローラ４・５の開放は、中間連動ギヤ１２を介して連動回転用のギヤ２・３が閉塞時と同程度に噛み合った状態で行われるので、スムースで、しかも加熱面の相対的なずれが生じず、更に各ギヤの噛み合いが局部的ではなく通常の状態で行われるので歯が欠けたり擦り減るのを防止できる。また加熱ローラ４・５の閉塞時は、中間連動ギヤ１２を介して連動回転用のギヤ２・３による連動に補助連動ギヤ１７・１８による連動が加わるので、回転動力の伝達がより確実になる。もちろん以上の実施例とは異なり、小さい回転動力で済む場合は補助連動ギヤ１７・１８を省略できる。更にモータからの回転駆動力をこの補助連動ギヤ１７・１８で直接受けて伝達するようにしてもよい。また中間連動ギヤ１２の中間ギヤ部１３と支軸部１４とを一体に形成することもできる。
【００１７】
【発明の効果】
この発明によれば、一対の加熱ローラの連動回転用ギヤ（一対）を直接噛合させるのではなく、両ギヤの間に中間連動ギヤを介在させ、かつその中間連動ギヤの回転軸心をローラフレームの分割部分の回転軸心に一致させることによって、ローラフレームの開放がスムースで連動ギヤの局部的な破損を防止できるようにするものである。
【図面の簡単な説明】
【図１】この発明の１つの実施形態を示す側面構成説明図である。
【図２】図１に示す実施形態の平面構成説明図である。
【図３】異なる状態を示す図１相当図である。
【符号の説明】
１  ヒートシール装置
２  連動回転用のギヤ
３  連動回転用のギヤ
４  加熱ローラ
５  加熱ローラ
６  軸受
７  軸受
８  軸受
９  軸受
１０  ローラフレーム
１１  ローラフレーム
１２  中間連動ギヤ
１３  中間ギヤ部
１４  支軸部
１５  モータ
１６  駆動ギヤ
１７  補助連動ギヤ
１８  補助連動ギヤ
１９  ハンドル部
２０  ハンドル部
【図１】
0003770700.tif 000002
【図２】
0003770700.tif 000003
【図３】
0003770700.tif 000004